(57)【要約】  【課題】  携帯に便利であり、しかも簡単に組立てることができて突発的な被害に迅速に対処できるようにした楯を提供する。  【解決手段】    複数の楯面構成板(11,31)によって構成され、複数の楯面構成板は相互に積層された格納状態(B,B')と展開された使用状態(A,A')との間で変形可能に設けられ、複数の楯面構成板には楯面構成板を相互に連携させるフック部(16,33) が設けられ、格納状態における最外側又は最内側の楯面構成板が操作されることによって複数の楯面構成板が使用状態に展開される一方、複数の楯面構成板の裏側には把手(14,37) が取付けられている。【選択図】  図３
2008256335.tif 000002
【特許請求の範囲】
【請求項１】
複数の楯面構成板によって構成され、上記複数の楯面構成板は相互に積層された格納状態と展開された使用状態との間で変形可能に設けられ、上記複数の楯面構成板には楯面構成板を相互に連携させるフック部が設けられ、格納状態における最外側又は最内側の楯面構成板が操作されることによって上記複数の楯面構成板が使用状態に展開される一方、上記複数の楯面構成板の裏側には把手が取付けられていることを特徴とする楯。
【請求項２】
上記複数の楯面構成板が短冊形状に製作され、該複数の楯面構成板の一端部が取付け軸によって回転自在に共連結されることにより、上記複数の楯面構成板は相互に積層された格納状態と円板状に展開された使用状態との間で回転・逆回転可能に設けられ、
上記複数の各楯面構成板には上下に隣接する楯面構成板を相互に連携させるフック部が設けられ、上記最上側の楯面構成板が取付け軸の廻りに回転されることによって上記複数の楯面構成板が円板状に展開され、
上記最下側の楯面構成板の裏面には把手が取付けられ、上記最上側と最下側の楯面構成板との間には複数の楯面構成板を円板状にロックする係止部材が設けられている請求項１記載の楯。
【請求項３】
上記複数の楯面構成板が矩形小板状に製作され、該複数の縦面構成板はガイド部材によって相互に積層された格納状態と伸長された使用状態との間で上下スライド可能に設けられ、
上記複数の各楯面構成板には上下に隣接する楯面構成板を相互に連携させるフック部が設けられ、上記最上側又は最下側の楯面構成板が上方に引っ張られることによって上記複数の楯面構成板が相互にスライドして矩形大板状に展開され、
上記複数の楯面構成板の裏側には縦面構成板とともに伸縮する把手が取付けられ、該把手には複数の楯面構成板を矩形大板状にロックする係止部材が設けられている請求項１記載の楯。
【請求項４】
上記最上側又は最下側の楯面構成板には該縦面構成板を上方に引き上げるための引上げ把手が固定されている一方、上記最下側又は最上側の楯面構成板の下端縁には上記最上側又は最下側の縦面構成板を上方引き上げ時に踏まれる足踏み板が設けられている請求項３記載の縦。
【請求項５】
上記楯面構成板は金属板である請求項１ないし４のいずれかに記載の楯。
【発明の詳細な説明】
【技術分野】
【０００１】
この発明は楯に関し、特に携帯に便利で、しかも緊急時には迅速に使用できるようにした楯に関する。
【背景技術】
【０００２】
例えば、警察官や警護官は凶悪犯を逮捕しあるいは凶悪犯罪から身体の安全を確保する目的で楯を用いることが多い。
【０００３】
近年、テロ犯罪対策その他の警備に関連する状況の変化に伴い、警備業者及び警備員に関する護身用具の携帯の禁止および制限に関する公安委員会規則の見直しが検討され、投石、殴打、凶器などの突発的な外圧に対する護身用具としての楯が見直されている。
【０００４】
従来、この種の楯は金属製又は強化プラスチック製の板材の裏側に把手を取付けた方式が一般的であった（特許文献１、特許文献２、特許文献３）。
【０００５】
この種の楯は外圧に対する十分な強度や剛性を必要とすることから、嵩張って携帯に不便であった。
【０００６】
これに対し、丸パイプを用いて伸縮自在でかつ折畳み自在なフレームを構成し、フレームに特殊繊維の重層体を被せるようにした構造の楯が提案されている（特許文献４）。
【０００７】
【特許文献１】特開２００６−２８３０５５号公報
【特許文献２】特開２００４−２８６２５７号公報
【特許文献３】特開２０００−３９２９７号公報
【特許文献４】特許第３４２１７２２号公報
【発明の開示】
【発明が解決しようとする課題】
【０００８】
ところで、最近、一般市民が異常者や薬物の中毒患者などによる被害を被る事件が頻発しているが、その事件の多くは包丁などの刃物を使用し、突発的で一瞬のうちに起こっていることが多く、刃物による被害を少しの間防ぐことができれば、周囲の人達が異変に気づき、異常者や薬物の中毒患者が逃走し、被害が防止することができると考えられる。
【０００９】
しかし、特許文献４記載の楯ではたとえ伸縮折り畳み可能であるといっても嵩張っており、一般市民が日常的に携帯するのは煩わしい。しかも、組立てに時間がかかり、突発的な被害には対処しきれない。
【００１０】
本発明はかかる問題点に鑑み、携帯に便利であり、しかも簡単に組立てることができて突発的な被害に迅速に対処できるようにした楯を提供することを課題とする。
【課題を解決するための手段】
【００１１】
そこで、本発明に係る楯は、複数の楯面構成板によって構成され、上記複数の楯面構成板は相互に積層された格納状態と展開された使用状態との間で変形可能に設けられ、上記複数の楯面構成板には楯面構成板を相互に連携させるフック部が設けられ、格納状態における最外側又は最内側の楯面構成板が操作されることによって上記複数の楯面構成板が使用状態に展開される一方、上記複数の楯面構成板の裏側には把手が取付けられていることを特徴とする。
【００１２】
本発明の第１の特徴は楯を複数の楯面構成板によって構成し、複数の楯面構成板を相互に積層した格納状態と展開した使用状態との間で変形できるようにした点にある。これにより、格納状態ではコンパクトになるので、携帯に便利であり、一般市民も日常的に携帯できることとなる。
【００１３】
本発明の第２の特徴は最上側又は最下側の楯面構成板を操作すると、フック部によって楯面構成板が相互に連携されるようにした点にある。これにより、楯面構成板を瞬時に展開して使用状態にすることができる結果、異常者や薬物の中毒患者などが包丁などの刃物を使用して突きかかってきても楯によって迅速に対応でき、突発的で一瞬の刃物による被害を少しの間でも防ぐことができる。
【００１４】
複数の楯面構成板は格納状態と使用状態との間で変形できればよく、例えば取付け軸の廻りに回転させることによって使用状態に展開してもよく、上方に引っ張って上方スライドさせて展開させるようにしてもよい。
【００１５】
即ち、複数の楯面構成板を短冊形状に製作し、複数の楯面構成板の一端部を取付け軸によって回転自在に共連結することにより、複数の楯面構成板を相互に積層された格納状態と円板状に展開された使用状態との間で回転・逆回転可能に設け、複数の各楯面構成板には上下に隣接する楯面構成板を相互に連携させるフック部を設け、最上側の楯面構成板を取付け軸の廻りに回転させることによって複数の楯面構成板を円板状に展開し、最下側の楯面構成板の裏面には把手を取付け、最上側と最下側の楯面構成板との間には複数の楯面構成板を円板状にロックする係止部材を設けて構成することができる。
【００１６】
また、複数の楯面構成板を矩形小板状に製作し、複数の縦面構成板はガイド部材によって相互に積層された格納状態と伸長された使用状態との間で上下スライド可能に設け、複数の各楯面構成板には上下に隣接する楯面構成板を相互に連携させるフック部を設け、最上側又は最下側の楯面構成板を上方に引っ張ることによって複数の楯面構成板を相互にスライドして矩形大板状に展開させ、複数の楯面構成板の裏側には縦面構成板とともに伸縮する把手を取付け、把手には複数の楯面構成板を矩形大板状にロックする係止部材を設けるように構成することができる。
【００１７】
楯面構成板は展開した時に円板状又は矩形大板状になるものであれば特に形状は限定されず、任意の形状とすることができるが、格納時のコンパクトさを考慮すると、短冊形状又は矩形小板状に製作するのが好ましい。
【００１８】
楯面構成板は刃物の突き刺しを防ぐことができればどのような材料でもよく、例えばアルミニウム系材料やチタン系材料などの金属材料を用いることができ、又高強度の合性樹脂材料、例えばアラミド樹脂材料を用いることができる。また、軽量化を考慮すると、金属材料製の楯面構成板のゴムや合成樹脂材料などの素材を積層し介在させるようにしてもよい。
【００１９】
楯面構成板を短冊形状にする場合、楯面構成板を単純な短冊形状としてもよく、又長さを伸縮できる短冊形状とすることもできる。
【発明を実施するための最良の形態】
【００２０】
以下、本発明を図面に示す具体例に基づいて詳細に説明する。図１ないし図３は本発明に係る楯の好ましい実施形態を示す。図において、楯１０は複数枚の楯面構成板１１から構成され、複数枚の各楯面構成板１１は例えばアルミニウム系材料を用いて短冊形状に製作されている。
【００２１】
複数枚の楯面構成板１１は重ねられ、その一端部の挿通穴には取付け軸１２が挿通され、取付け軸１２の先端部は押え板１３Ａの挿通穴に挿通され、取付け軸１２の先端部には蝶ねじ１３に螺合され、蝶ねじ１３を緩めることによって複数枚の楯面構成板１１を取付け軸１２の廻りに積層した格納状態Ａと円板状に拡げた使用状態Ｂとの間で回転・逆回転できるようになっている。
【００２２】
また、複数枚の楯面構成板１１の側縁にはフック部１６が切り起こしによって形成され、楯面構成板１１が取付け軸１２の廻りに回転された時にフック部１６が隣接する楯面構成板１１の側縁に引っ掛かって隣接する楯面構成板１１が相互に連携され、複数枚の各楯面構成板１１が次々と連携されることによって円板状に拡げられるようになっている。
【００２３】
さらに、最上側の楯面構成板１１の上端部には摘まみ１５が固定されるとともに、係止アーム（係止部材）１７が取付けられ、係止アーム１７の先端は折り曲げられ、最下側の楯面構成板１１の先端の係止穴１７Ａに引っ掛かり、これによって楯面構成板１１を円板状に拡げた使用状態にロックするようになっている。
【００２４】
本例の楯１０は格納状態Ａでは嵩張らず、コンパクトであるので、例えば図４に示されるように、格納状態Ａでベルト２２付きのケース２０に差し込まれ、バンド２１によって保持され、携帯時にはベルト２２を腰に付けることによって邪魔になることなく容易に携帯できる。素材を選択して軽量化を図ると、小学生や女性にも容易に携帯できる。
【００２５】
例えば、道路などを通行中に異常者や薬物の中毒患者などが包丁などの刃物をもって襲ってきたような場合、ベルト２１を外して本例の楯１０を取り出し、把手１４を片手で持つとともに、蝶ねじ１３を緩め、他方の手で摘まみ１５を持って矢印Ｃの方向に回転させる。
【００２６】
すると、複数枚の各楯面構成板１１のフック部１６が次々と隣接する楯面構成板１１の側縁に引っ掛かって相互に連携され、複数枚の楯面構成板１１は瞬時のうちに円板状に拡がるとともに、最上側の楯面構成板１１の係止アーム１７が最下側の楯面構成板１１の係止穴１７Ａに引っ掛かり、楯面構成板１１は使用状態Ｂにロックされる。
【００２７】
そこで、本例の楯１０を刃物を持った異常者や薬物の中毒患者などに向けると、刃物による被害をとりあえず回避することができ、しばらくすると、周囲の人達が異変に気づき、そのときには異常者や薬物の中毒患者は逃走を開始し、これによって被害を防止することができる。
【００２８】
楯１０を格納する場合には係止アーム１７を係止穴１７Ａから外し、複数枚の楯面構成板１１を逆回転させると、もとの重ねた格納状態Ａになるので、蝶ねじ１３を締付け、ケース２０に入れてベルト２１で保持すればよい。
【００２９】
なお、上記の例ではフック部を楯面構成板の側縁に設けたが、上縁に設けるようにしてもよい。また、フック部が引っ掛かる楯面構成板にはフック受け部を形成するようにしてもよい。
【００３０】
図５ないし図７と第２の実施形態を示し、図において図１ないし図３と同一符号は同一又は相当部分を示す。図において、楯３０は複数枚、例えば４枚の楯面構成板３１から構成され、複数枚の各楯面構成板３１は例えばアルミニウム系材料を用いて矩形小板状に製作されている。
【００３１】
複数枚の楯面構成板３１は上下に重ねられ、その両側にはガイド部材３２が設けられ、隣接する楯面構成板３１の両側縁が上下スライド可能に嵌め込まれ、相互に積層された格納状態と伸長された使用状態との間で上下にスライド可能に設けられている。
【００３２】
また、上下に積層された複数枚の楯面構成板３１のうち、最内側の楯面構成板３１の上端部には引上げ把手３５が取付けられ、最外側の楯面構成板３１の下端部には足踏み板３６が固定されている。
【００３３】
この足踏み板３６には把手３７の下端部が支持され、把手３７の上端部は最内側の楯面構成板３１の上端部にブラケットによって固定され、この把手３７は伸縮可能でかつ任意の位置でロックし得るロッドによって構成されている。なお、このロッドには例えばカメラ用三脚を構成するロッドを採用することができる。
【００３４】
本例の楯３０は格納状態Ｂ’では嵩張らず、コンパクトであるので、例えば警備者が使用するときには邪魔になることなく容易に携帯できる。素材を選択して軽量化を図ると、さらに携帯性が向上する。
【００３５】
例えば、包丁などの刃物をもった異常者や薬物の中毒患者などを制圧する場合、足踏み板３６を片足で踏み、引上げ把手３５を片手でもって強く引き上げると、フック部３３が当たり部３４と当たり、複数枚の楯面構成板３１がガイド部材３２によってガイドされながら次々と上方にスライドし、それに伴ってロッド状の把手３７も伸長し、図５及び図６に示されるように矩形大板状の楯となる。
【００３６】
そこで、ロッド状の把手３７を手で握って異常者や薬物の中毒患者などに向けて押しつけると、刃物による被害を回避しながら、異常者や薬物の中毒患者などの身体の動きを制圧することができる。
【００３７】
使用に際して時間的な余裕がある場合にはロッド状の把手３７の中間部分３７Ａを中心軸線廻りに回すと、三脚の場合と同様に、ロッド状の把手３６の伸縮をロックでき、必要な場合にはねじ３７Ｂを締め付けてロックが外れないようにすればよい。
【００３８】
楯３０を格納する場合には把手３７のロックを外し、楯３０の上端縁を下方に押しつけると、楯面構成板３１が下方にスライドし、把手３５が収縮し、元の重ねた格納状態Ｂ’に戻すことができる。
【図面の簡単な説明】
【００３９】
【図１】本発明に係る楯の好ましい実施形態における格納状態を示す概略斜視図である。
【図２】上記実施形態における使用状態を示す正面からの概略斜視図である。
【図３】上記実施形態における使用状態を示す背面からの概略斜視図である。
【図４】上記実施形態における格納状態の楯をケースに格納した状態を示す概略斜視図である。
【図５】第２の実施形態における使用状態を示す概略正面斜視図てある。
【図６】上記実施形態における使用状態を示す正面からの概略背面斜視図である。
【図７】上記実施形態における格納状態を示す概略正面斜視図である。
【符号の説明】
【００４０】
１０        楯
１１        楯面構成板
１２        取付け軸
１３        蝶ねじ
１４        把手
１５        摘まみ
１６        フック部
１７        係止アーム（係止部材）
１７Ａ      係止穴
３０        楯
３１        楯面構成板
３２        ガイド部材
３３        フック部
３４        当たり部
３５        引上げ把手
３６        足踏み板
３７        把手
【図１】
2008256335.tif 000003
【図２】
2008256335.tif 000004
【図３】
2008256335.tif 000005
【図４】
2008256335.tif 000006
【図５】
2008256335.tif 000007
【図６】
2008256335.tif 000008
【図７】
2008256335.tif 000009
【手続補正書】
【提出日】平成19年9月7日(2007.9.7)
【手続補正１】
【補正対象書類名】特許請求の範囲
【補正対象項目名】全文
【補正方法】変更
【補正の内容】
【特許請求の範囲】
【請求項１】
複数の楯面構成板によって構成され、上記複数の楯面構成板は相互に積層された格納状態と展開された使用状態との間で変形可能に設けられ、上記複数の楯面構成板には楯面構成板を相互に連携させるフック部が設けられ、格納状態における最外側又は最内側の楯面構成板が操作されることによって上記複数の楯面構成板が使用状態に展開される一方、上記複数の楯面構成板の裏側には把手が取付けられていることを特徴とする楯。
【請求項２】
上記複数の楯面構成板が短冊形状に製作され、該複数の楯面構成板の一端部が取付け軸によって回転自在に共連結されることにより、上記複数の楯面構成板は相互に積層された格納状態と多角形板状に展開された使用状態との間で回転・逆回転可能に設けられ、
上記複数の各楯面構成板には上下に隣接する楯面構成板を相互に連携させるフック部が設けられ、上記最上側の楯面構成板が取付け軸の廻りに回転されることによって上記複数の楯面構成板が多角形板状に展開され、
上記最下側の楯面構成板の裏面には把手が取付けられ、上記最上側と最下側の楯面構成板との間には複数の楯面構成板を多角形板状にロックする係止部材が設けられている請求項１記載の楯。
【請求項３】
上記複数の楯面構成板が矩形小板状に製作され、該複数の縦面構成板はガイド部材によって相互に積層された格納状態と伸長された使用状態との間で上下スライド可能に設けられ、
上記複数の各楯面構成板には上下に隣接する楯面構成板を相互に連携させるフック部が設けられ、上記最上側又は最下側の楯面構成板が上方に引っ張られることによって上記複数の楯面構成板が相互にスライドして矩形大板状に展開され、
上記複数の楯面構成板の裏側には縦面構成板とともに伸縮する把手が取付けられ、該把手には複数の楯面構成板を矩形大板状にロックする係止部材が設けられている請求項１記載の楯。
【請求項４】
上記最上側又は最下側の楯面構成板には該縦面構成板を上方に引き上げるための引上げ把手が固定されている一方、上記最下側又は最上側の楯面構成板の下端縁には上記最上側又は最下側の縦面構成板を上方引き上げ時に踏まれる足踏み板が設けられている請求項３記載の縦。
【請求項５】
上記楯面構成板は金属板である請求項１ないし４のいずれかに記載の楯。
【手続補正２】
【補正対象書類名】明細書
【補正対象項目名】全文
【補正方法】変更
【補正の内容】
【発明の詳細な説明】
【技術分野】
【０００１】
この発明は楯に関し、特に携帯に便利で、しかも緊急時には迅速に使用できるようにした楯に関する。
【背景技術】
【０００２】
例えば、警察官や警護官は凶悪犯を逮捕しあるいは凶悪犯罪から身体の安全を確保する目的で楯を用いることが多い。
【０００３】
近年、テロ犯罪対策その他の警備に関連する状況の変化に伴い、警備業者及び警備員に関する護身用具の携帯の禁止および制限に関する公安委員会規則の見直しが検討され、投石、殴打、凶器などの突発的な外圧に対する護身用具としての楯が見直されている。
【０００４】
従来、この種の楯は金属製又は強化プラスチック製の板材の裏側に把手を取付けた方式が一般的であった（特許文献１、特許文献２、特許文献３）。
【０００５】
この種の楯は外圧に対する十分な強度や剛性を必要とすることから、嵩張って携帯に不便であった。
【０００６】
これに対し、丸パイプを用いて伸縮自在でかつ折畳み自在なフレームを構成し、フレームに特殊繊維の重層体を被せるようにした構造の楯が提案されている（特許文献４）。
【０００７】
【特許文献１】特開２００６−２８３０５５号公報
【特許文献２】特開２００４−２８６２５７号公報
【特許文献３】特開２０００−３９２９７号公報
【特許文献４】特許第３４２１７２２号公報
【発明の開示】
【発明が解決しようとする課題】
【０００８】
ところで、最近、一般市民が異常者や薬物の中毒患者などによる被害を被る事件が頻発しているが、その事件の多くは包丁などの刃物を使用し、突発的で一瞬のうちに起こっていることが多く、刃物による被害を少しの間防ぐことができれば、周囲の人達が異変に気づき、異常者や薬物の中毒患者が逃走し、被害が防止することができると考えられる。
【０００９】
しかし、特許文献４記載の楯ではたとえ伸縮折り畳み可能であるといっても嵩張っており、一般市民が日常的に携帯するのは煩わしい。しかも、組立てに時間がかかり、突発的な被害には対処しきれない。
【００１０】
本発明はかかる問題点に鑑み、携帯に便利であり、しかも簡単に組立てることができて突発的な被害に迅速に対処できるようにした楯を提供することを課題とする。
【課題を解決するための手段】
【００１１】
そこで、本発明に係る楯は、複数の楯面構成板によって構成され、上記複数の楯面構成板は相互に積層された格納状態と展開された使用状態との間で変形可能に設けられ、上記複数の楯面構成板には楯面構成板を相互に連携させるフック部が設けられ、格納状態における最外側又は最内側の楯面構成板が操作されることによって上記複数の楯面構成板が使用状態に展開される一方、上記複数の楯面構成板の裏側には把手が取付けられていることを特徴とする。
【００１２】
本発明の第１の特徴は楯を複数の楯面構成板によって構成し、複数の楯面構成板を相互に積層した格納状態と展開した使用状態との間で変形できるようにした点にある。これにより、格納状態ではコンパクトになるので、携帯に便利であり、一般市民も日常的に携帯できることとなる。
【００１３】
本発明の第２の特徴は最上側又は最下側の楯面構成板を操作すると、フック部によって楯面構成板が相互に連携されるようにした点にある。これにより、楯面構成板を瞬時に展開して使用状態にすることができる結果、異常者や薬物の中毒患者などが包丁などの刃物を使用して突きかかってきても楯によって迅速に対応でき、突発的で一瞬の刃物による被害を少しの間でも防ぐことができる。
【００１４】
複数の楯面構成板は格納状態と使用状態との間で変形できればよく、例えば取付け軸の廻りに回転させることによって使用状態に展開してもよく、上方に引っ張って上方スライドさせて展開させるようにしてもよい。
【００１５】
即ち、複数の楯面構成板を短冊形状に製作し、複数の楯面構成板の一端部を取付け軸によって回転自在に共連結することにより、複数の楯面構成板を相互に積層された格納状態と多角形板状に展開された使用状態との間で回転・逆回転可能に設け、複数の各楯面構成板には上下に隣接する楯面構成板を相互に連携させるフック部を設け、最上側の楯面構成板を取付け軸の廻りに回転させることによって複数の楯面構成板を多角形板状に展開し、最下側の楯面構成板の裏面には把手を取付け、最上側と最下側の楯面構成板との間には複数の楯面構成板を多角形板状にロックする係止部材を設けて構成することができる。
【００１６】
また、複数の楯面構成板を矩形小板状に製作し、複数の縦面構成板はガイド部材によって相互に積層された格納状態と伸長された使用状態との間で上下スライド可能に設け、複数の各楯面構成板には上下に隣接する楯面構成板を相互に連携させるフック部を設け、最上側又は最下側の楯面構成板を上方に引っ張ることによって複数の楯面構成板を相互にスライドして矩形大板状に展開させ、複数の楯面構成板の裏側には縦面構成板とともに伸縮する把手を取付け、把手には複数の楯面構成板を矩形大板状にロックする係止部材を設けるように構成することができる。
【００１７】
楯面構成板は展開した時に多角形板状又は矩形大板状になるものであれば特に形状は限定されず、任意の形状とすることができるが、格納時のコンパクトさを考慮すると、短冊形状又は矩形小板状に製作するのが好ましい。
【００１８】
楯面構成板は刃物の突き刺しを防ぐことができればどのような材料でもよく、例えばアルミニウム系材料やチタン系材料などの金属材料を用いることができ、又高強度の合性樹脂材料、例えばアラミド樹脂材料を用いることができる。また、軽量化を考慮すると、金属材料製の楯面構成板のゴムや合成樹脂材料などの素材を積層し介在させるようにしてもよい。
【００１９】
楯面構成板を短冊形状にする場合、楯面構成板を単純な短冊形状としてもよく、又長さを伸縮できる短冊形状とすることもできる。
【発明を実施するための最良の形態】
【００２０】
以下、本発明を図面に示す具体例に基づいて詳細に説明する。図１ないし図３は本発明に係る楯の好ましい実施形態を示す。図において、楯１０は複数枚の楯面構成板１１から構成され、複数枚の各楯面構成板１１は例えばアルミニウム系材料を用いて短冊形状に製作されている。
【００２１】
複数枚の楯面構成板１１は重ねられ、その一端部の挿通穴には取付け軸１２が挿通され、取付け軸１２の先端部は押え板１３Ａの挿通穴に挿通され、取付け軸１２の先端部には蝶ねじ１３に螺合され、蝶ねじ１３を緩めることによって複数枚の楯面構成板１１を取付け軸１２の廻りに積層した格納状態Ａと多角形板状に拡げた使用状態Ｂとの間で回転・逆回転できるようになっている。
【００２２】
また、複数枚の楯面構成板１１の側縁にはフック部１６が切り起こしによって形成され、楯面構成板１１が取付け軸１２の廻りに回転された時にフック部１６が隣接する楯面構成板１１の側縁に引っ掛かって隣接する楯面構成板１１が相互に連携され、複数枚の各楯面構成板１１が次々と連携されることによって多角形板状に拡げられるようになっている。
【００２３】
さらに、最上側の楯面構成板１１の上端部には摘まみ１５が固定されるとともに、係止アーム（係止部材）１７が取付けられ、係止アーム１７の先端は折り曲げられ、最下側の楯面構成板１１の先端の係止穴１７Ａに引っ掛かり、これによって楯面構成板１１を多角形板状に拡げた使用状態にロックするようになっている。
【００２４】
本例の楯１０は格納状態Ａでは嵩張らず、コンパクトであるので、例えば図４に示されるように、格納状態Ａでベルト２２付きのケース２０に差し込まれ、バンド２１によって保持され、携帯時にはベルト２２を腰に付けることによって邪魔になることなく容易に携帯できる。素材を選択して軽量化を図ると、小学生や女性にも容易に携帯できる。
【００２５】
例えば、道路などを通行中に異常者や薬物の中毒患者などが包丁などの刃物をもって襲ってきたような場合、ベルト２１を外して本例の楯１０を取り出し、把手１４を片手で持つとともに、蝶ねじ１３を緩め、他方の手で摘まみ１５を持って矢印Ｃの方向に回転させる。
【００２６】
すると、複数枚の各楯面構成板１１のフック部１６が次々と隣接する楯面構成板１１の側縁に引っ掛かって相互に連携され、複数枚の楯面構成板１１は瞬時のうちに多角形板状に拡がるとともに、最上側の楯面構成板１１の係止アーム１７が最下側の楯面構成板１１の係止穴１７Ａに引っ掛かり、楯面構成板１１は使用状態Ｂにロックされる。
【００２７】
そこで、本例の楯１０を刃物を持った異常者や薬物の中毒患者などに向けると、刃物による被害をとりあえず回避することができ、しばらくすると、周囲の人達が異変に気づき、そのときには異常者や薬物の中毒患者は逃走を開始し、これによって被害を防止することができる。
【００２８】
楯１０を格納する場合には係止アーム１７を係止穴１７Ａから外し、複数枚の楯面構成板１１を逆回転させると、もとの重ねた格納状態Ａになるので、蝶ねじ１３を締付け、ケース２０に入れてベルト２１で保持すればよい。
【００２９】
なお、上記の例ではフック部を楯面構成板の側縁に設けたが、上縁に設けるようにしてもよい。また、フック部が引っ掛かる楯面構成板にはフック受け部を形成するようにして
もよい。
【００３０】
図５ないし図７と第２の実施形態を示し、図において図１ないし図３と同一符号は同一又は相当部分を示す。図において、楯３０は複数枚、例えば４枚の楯面構成板３１から構成され、複数枚の各楯面構成板３１は例えばアルミニウム系材料を用いて矩形小板状に製作されている。
【００３１】
複数枚の楯面構成板３１は上下に重ねられ、その両側にはガイド部材３２が設けられ、隣接する楯面構成板３１の両側縁が上下スライド可能に嵌め込まれ、相互に積層された格納状態と伸長された使用状態との間で上下にスライド可能に設けられている。
【００３２】
また、上下に積層された複数枚の楯面構成板３１のうち、最内側の楯面構成板３１の上端部には引上げ把手３５が取付けられ、最外側の楯面構成板３１の下端部には足踏み板３６が固定されている。
【００３３】
この足踏み板３６には把手３７の下端部が支持され、把手３７の上端部は最内側の楯面構成板３１の上端部にブラケットによって固定され、この把手３７は伸縮可能でかつ任意の位置でロックし得るロッドによって構成されている。なお、このロッドには例えばカメラ用三脚を構成するロッドを採用することができる。
【００３４】
本例の楯３０は格納状態Ｂ’では嵩張らず、コンパクトであるので、例えば警備者が使用するときには邪魔になることなく容易に携帯できる。素材を選択して軽量化を図ると、さらに携帯性が向上する。
【００３５】
例えば、包丁などの刃物をもった異常者や薬物の中毒患者などを制圧する場合、足踏み板３６を片足で踏み、引上げ把手３５を片手でもって強く引き上げると、フック部３３が当たり部３４と当たり、複数枚の楯面構成板３１がガイド部材３２によってガイドされながら次々と上方にスライドし、それに伴ってロッド状の把手３７も伸長し、図５及び図６に示されるように矩形大板状の楯となる。
【００３６】
そこで、ロッド状の把手３７を手で握って異常者や薬物の中毒患者などに向けて押しつけると、刃物による被害を回避しながら、異常者や薬物の中毒患者などの身体の動きを制圧することができる。
【００３７】
使用に際して時間的な余裕がある場合にはロッド状の把手３７の中間部分３７Ａを中心軸線廻りに回すと、三脚の場合と同様に、ロッド状の把手３６の伸縮をロックでき、必要な場合にはねじ３７Ｂを締め付けてロックが外れないようにすればよい。
【００３８】
楯３０を格納する場合には把手３７のロックを外し、楯３０の上端縁を下方に押しつけると、楯面構成板３１が下方にスライドし、把手３５が収縮し、元の重ねた格納状態Ｂ’に戻すことができる。
【図面の簡単な説明】
【００３９】
【図１】本発明に係る楯の好ましい実施形態における格納状態を示す概略斜視図である。
【図２】上記実施形態における使用状態を示す正面からの概略斜視図である。
【図３】上記実施形態における使用状態を示す背面からの概略斜視図である。
【図４】上記実施形態における格納状態の楯をケースに格納した状態を示す概略斜視図である。
【図５】第２の実施形態における使用状態を示す概略正面斜視図てある。
【図６】上記実施形態における使用状態を示す正面からの概略背面斜視図である。
【図７】上記実施形態における格納状態を示す概略正面斜視図である。
【符号の説明】
【００４０】
１０        楯
１１        楯面構成板
１２        取付け軸
１３        蝶ねじ
１４        把手
１５        摘まみ
１６        フック部
１７        係止アーム（係止部材）
１７Ａ      係止穴
３０        楯
３１        楯面構成板
３２        ガイド部材
３３        フック部
３４        当たり部
３５        引上げ把手
３６        足踏み板
３７        把手